(57)【要約】      （修正有）【課題】安全かつ迅速にフィルタ交換を行うことのできるネイル用ダストコレクターを提供すること。【解決手段】吸入口１１および排気口１２を有する筐体としての本体１と、本体１の外部且つ吸入口１１近傍に配置されるフィルタ構造と、本体内部に配置され、フィルタ構造近傍の空気を、吸入口１１から本体内部を通り排気口１２へと誘導する吸引部と、吸引部の作動をＯＮ／ＯＦＦするスイッチ３と、を備える。【選択図】図９
2020092843.tif 000002
【特許請求の範囲】
【請求項１】
吸入口および排気口を有する本体と、
メッシュ状又は多数の孔を有する板状のカバー、面状のフィルタ、及び、前記カバーと共に前記フィルタを挟んで保持するフィルタ固定部から成り、前記本体の外部かつ前記吸入口の周囲に配置され、前記カバー、前記フィルタ及び前記フィルタ固定部が一体として着脱交換自在であるフィルタ構造と、
前記本体内部に配置され、且つ、前記吸入口と接続した吸引部と、
を備えたことを特徴とするネイル用ダストコレクター。
【請求項２】
前記フィルタ固定部は、前記カバー及び前記フィルタの円周形状に沿った環状体であることを特徴とする請求項１に記載のネイル用ダストコレクター。
【請求項３】
前記カバーは金属製であり、且つ、前記フィルタ固定部は磁性体であることを特徴とする請求項１又は２に記載のネイル用ダストコレクター。
【発明の詳細な説明】
【技術分野】
【０００１】
本願発明は、ネイルアート作業時に発生するダスト、及び、ネイルアート除去時に用いられるリムーバー液等の化学物質の飛散を防止し、前記ダスト等と空気とを分離するためのフィルタの交換を容易且つ迅速に行える機構を備えたネイル用ダストコレクターに関するものである。
【背景技術】
【０００２】
ネイルアートに用いられる、アクリリックネイル（アクリルリキッドとアクリルパウダーを混合することにより重合反応を起こさせ硬化させる人工爪）、ジェルネイル（アクリル樹脂やウレタン樹脂を爪に塗布し、紫外線等の光線を照射することで硬化させる人工爪）（以下、「ネイル等」という）、マニキュア又はリムーバー液に用いられるアセトン等は、人体や環境にとって毒性を有する成分を含有するものが少なくない。ネイルサロン等において、ネイル用のグラインダー等やアセトンを用いてネイル等の除去施術を行う際には、削られたネイル等のダストに加え、爪やネイル等に付着した雑菌・カビ、角質や揮発したアセトンも空気中に飛散する（一次飛散）。施術中、ネイリストは顧客の指先を至近距離で長時間にわたり凝視しながら作業するため、上記ダスト等を吸引する可能性が高い。
【０００３】
上記ダスト等を吸引した場合には、呼吸器系の疾患や感染症を誘発するおそれがあり、また、ダスト等を含む空気中に長時間さらされた場合には、皮膚や目の疾患を誘発するおそれもある。そこで、ネイル除去やネイルケア施術に伴う、ダスト等の飛散を防止するため下記特許文献１に記載の照明を備えたネイルケア用集塵装置が提供されている。
【０００４】
下記特許文献１に記載の照明を備えたネイルケア用集塵装置は、ネイルを照射するための照明部が一端に備えられ、ネイルに向かって長さ、方向及び角度調節が可能なベローズ管状の吸入管ユニット、及び、吸入管ユニットの他端に連結され、ネイルケアして発生する有害空気を吸入するための動力を提供し、吸入された有害空気をフィルタして浄化された浄化空気を排出する本体ユニットを備える。
【先行技術文献】
【特許文献】
【０００５】
【特許文献１】実用新案登録第３２１３０１７号
【発明の概要】
【発明が解決しようとする課題】
【０００６】
しかしながら、前記照明を備えたネイルケア用集塵装置では、ダスト等と空気を分離するためのフィルタが本体内部に配置されているため、フィルタの交換が容易に行えず、フィルタを交換しないまま複数の顧客を施術せざるを得なかった。また、フィルタの交換・洗浄作業中にダスト等が舞い上がり（二次飛散）、ユーザー、特にネイリストがそれらを吸引してしまうという問題点があった。加えて、吸入管ユニットが本体より立設しているために、広い作業空間を確保しなければならないという問題点があった。
【課題を解決するための手段】
【０００７】
上記問題点を解決するため、本願発明は、吸入口および排気口を有する筐体としての本体と、前記本体の外部且つ前記吸入口近傍に配置されるフィルタ構造と、前記本体内部に前記吸入口と接続するよう配置され、前記フィルタ構造近傍の空気を、前記吸入口から前記本体内部を通り前記排気口へと誘導する吸引部と、前記吸引部の作動をＯＮ／ＯＦＦするスイッチと、を備えたことを特徴とする。
【０００８】
また、上記発明において、本願発明は、吸入口および排気口を有する本体と、メッシュ状又は多数の孔を有する板状のカバー、面状のフィルタ、及び、前記カバーと共に前記フィルタを挟んで保持するフィルタ固定部から成り、前記本体の外部かつ前記吸入口の周囲に配置され、前記カバー、前記フィルタ及び前記フィルタ固定部が一体として着脱交換自在であるフィルタ構造と、  前記本体内部に配置され、且つ、前記吸入口と接続した吸引部と、を備えたことを特徴とする。
【０００９】
また、上記発明において、本願発明は、前記フィルタ固定部は、前記カバー及び前記フィルタの円周形状に沿った環状体であることを特徴とする。
【００１０】
また、上記発明において、本願発明は、前記カバーは金属製であり、且つ、前記フィルタ固定部は磁性体であることを特徴とする。
【図面の簡単な説明】
【００１１】
【図１】本願発明に係るネイル用ダストコレクター１００の上方斜視図である。
【図２】本願発明に係るネイル用ダストコレクター１００の下方斜視図である。
【図３】本願発明に係るネイル用ダストコレクター１００の正面図である。
【図４】本願発明に係るネイル用ダストコレクター１００の背面図である。
【図５】本願発明に係るネイル用ダストコレクター１００の左側面図である。
【図６】本願発明に係るネイル用ダストコレクター１００の右側面図である。
【図７】本願発明に係るネイル用ダストコレクター１００の平面図である。
【図８】本願発明に係るネイル用ダストコレクター１００の底面図である。
【図９】本願発明に係るネイル用ダストコレクター１００のフィルタ構造の模式図である。
【図１０】本願発明に係るネイル用ダストコレクター１００のＡ―Ａ’断面図である。
【発明を実施するための形態】
【００１２】
図１乃至図８は、本願発明に係るネイル用ダストコレクター１００の斜視図および六面図である。このネイル用ダストコレクター１００は、矩形筐体である本体１と、本体１の上部（平面）側に配置されたフィルタ構造２と、本体１の正面側に配置されたスイッチ３と、本体１の内部に配置された吸引部４と、から構成される。
【００１３】
本体１は、矩形扁平状の筐体であり、上部（平面）側に吸入口１１及び後述するフィルタ構造２を篏合するための溝１ａを備え、両側面に排気口１２を、底面に排気口１３を備える。本体１は、矩形のほか、円形、多角形の筐体も採用できる。本体１の材質は、ポリエチレン、ポリプロピレン、ポリエステル、アクリロニトリル、ポリアミド、ポリイミド等を採用することが好ましい。一般的にリムーバー液等に用いられるアセトンに耐え得る材質であれば、金属やガラス等も採用できる。
【００１４】
また、本体１の表面をポリテトラフルオロエチレン等の撥水効果を有する素材によるコーティングを施すことで、本体１の耐久性が向上する。そして、当該コーティングを施すことにより上記金属等以外のもの、例えば木材等であっても本体１の材質として採用することが可能である。また、後述する吸引部４が配置される周囲に多孔性部材を配置して、静音設計とすることが好ましい。
【００１５】
図９は、本願発明に係るネイル用ダストコレクター１００のフィルタ構造２の模式図である。図１０は、本願発明に係るネイル用ダストコレクター１００のＡ―Ａ’断面図である。図９に示す通り、フィルタ構造２は、カバー２１、フィルタ２２、フィルタ固定部２３の順に構成され、前記本体１に備えられた吸入口１１を覆うよう、前記溝１ａに篏合して配置される。
【００１６】
カバー２１は、楕円形の板状又はメッシュ状で、全面または一部に複数の孔２１ａを備える。カバー２１は、前記吸入口１１を覆い得る形状であれば円形または多角形等を採用できる。また、前記孔２１ａの形状は、円形、多角形、花びら形、矩形等の任意のものを採用でき、一つの孔２１ａの直径は、３ｍｍ以上２０ｍｍ以下とするのが好ましい。カバー２１は、金属製もしくは合成樹脂製であり、前記本体１と同様に、表面をポリテトラフルオロエチレン等の撥水効果を有する素材によるコーティングを施すことで、カバー２１の耐久性が向上するため好ましい。
【００１７】
フィルタ２２は、全体の形状が面状で前記カバー２１に対応する形状であり、多孔性又は繊維性の素材を、ひだ状に折り畳み又は層状にパネル化したものである。その他にも例えば、微粉末又は粒状の活性炭を用いた脱臭効果のあるもの、繊維性の素材に水分を含ませたもの、繊維性の素材にアロマ油等を染み込ませたもの等をフィルタ２２として採用できる。フィルタ２２は、上記のものを一種類ずつ用いてもよいし、複数種類のものを組み合わせて用いてもよい。
【００１８】
フィルタ固定部２３は、前記カバー２１に対応する形状であり、例えば楕円形の環状である。フィルタ固定部２３は磁性体により構成され、例えば磁石またはマグネットシート等を採用できる。前記カバー２１が金属製である場合には、フィルタ固定部２３の磁力によりカバー２１とフィルタ固定部２３が固定されるため、これらの間にフィルタ２２をしっかりと挟み保持することが可能である。当該構成により、前記本体１よりフィルタ構造２を一体として取り外した際にも、フィルタ２２の円周部分が挟み保持されているため、安定して移動又は持ち運びが可能となる。また、フィルタ固定部２３は複数の部材から構成され得る。例えば、前記カバー２１の周囲４箇所に篏合するようフィルタ固定部２３を配置し、フィルタ２２を前記４箇所により固定する（図示省略）。
【００１９】
一方、カバー２１が金属製以外である場合には、カバー２１は、磁性体以外の材質、例えば合成樹脂や木材等を採用できる。この場合には、カバー２１とフィルタ固定部２３にはそれぞれ、互いを固定可能な凹凸部もしくは切欠き部とそれに対応する凹部等を設けることが好ましい（図示省略）。これらを設けることにより、磁力による固定の場合と同様に、カバー２１とフィルタ固定部２３の間にフィルタ２２をしっかりと挟み保持することができる。
【００２０】
フィルタ構造２の構成により、ユーザーは、フィルタ２２に付着したダスト等を撒き散らす（二次飛散）ことなく容易にフィルタ２２の交換作業を行うことができる。詳細には、まず、ユーザーはフィルタ構造２を一体として本体１より取り外す。次に、フィルタ構造２をごみ箱等まで運びその上部または中において、カバー２１とフィルタ固定部２３を外し、間に挟まれているフィルタ２２を取り出す。そして、フィルタ２２を交換又は洗浄し、再びカバー２１とフィルタ固定部２３とによりフィルタ２２を挟んで固定する。最後に、前記溝１ａにフィルタ構造２を篏合する。
【００２１】
さらに、フィルタ構造２の構成により、ユーザーは、フィルタ２２に到達しなかったダスト等についても、それらを撒き散らす（二次飛散）ことなくフィルタ２２の交換作業を行うことができる。詳細には、ダスト等の質量や粘着性の違いによりそれらの一部は、カバー２１に設けられた孔２１ａを通過せず、カバー２１の表面に付着したままとなる。フィルタ構造２が一体として本体１より取り外せることにより、ユーザーは、フィルタ２２に到達しなかった前記ダスト等の一部についても、それらを撒き散らす（二次飛散）ことなく、フィルタ２２の交換作業を行うことができる。
【００２２】
スイッチ３は、後述する吸引部４のＯＮ／ＯＦＦ、吸引の強度及び吸引時間を制御する。例えば、吸引部４は可変的に手動制御されるか、又は予定されたモードで自動制御されることができる。詳細には、前記スイッチ３をボタン式で構成する場合、手動で押し操作して吸引部４の状態をＯＮ／ＯＦＦするか、又はスイッチ３を長押しする等の動作によって、吸引部４が予定された条件で自動作動するように構成することができる。また、上記のような動作を実現するために、スイッチ３は単数または複数のボタンで構成されることができ、操作された設定値を表示するためのディスプレイ部を備えて、作動状態をモニターすることができるように構成されるなどの形態を採用できる（図示省略）。
【００２３】
吸引部４は、シロッコファンからなる吸引ファン４１と、前記スイッチ３からの作動信号の入力を受けて前記吸引ファン４１を駆動するモータから構成される（図示省略）。吸引ファン４１は、シロッコファンのほか、ラジアルファン、軸流ファン、遠心ファン等を採用できる。モータは前記吸引ファン４１を作動させるための動力源として公知のものを採用することができるので、詳細な説明は省略する。
【００２４】
前記吸引ファン４１は、前記吸入口１１からダスト等が吸い込まれるように空気の流れを誘導する構成である。詳細には、吸入口１１から吸い込まれるよう誘導されたダスト等を含む空気は、フィルタ２２を通過する際にダスト等と空気が分離され、前記排気口１２及び排気口１３から排出される。
【００２５】
次に、ネイル用ダストコレクター１００の使用法を説明する。まず、ユーザーは作業机の上にネイル用ダストコレクター１００を吸入口１１が上向きとなるように置き、スイッチ３を押し操作して、吸引部４を作動させる。次に、本体１に設けられた吸入口１１の近傍、すなわち、カバー２１の上方向近傍において、ネイルケア等の作業を開始する。吸引部４により、吸入口１１近傍の空気は吸入口１１へ誘導されるため、ネイルケア等の作業に伴うダストや化学物質を含む空気はフィルタ２２を通過して吸入口１１へ吸引される。ダスト等を含む空気は、フィルタ２２を通過する際、ダスト等と空気に分離される。そして、ダスト等が取り除かれた空気は吸引部４の動作により、本体１に設けられた排気口１２及び排気口１３より排出される。
【００２６】
そして、ネイルケア等の作業を終えたユーザーは、スイッチ３を押し操作して吸引部４を停止させる。ユーザーは、フィルタ構造２を一体として本体１より取り外し、ごみ箱等まで運びその上部または中において、カバー２１とフィルタ固定部２３を外し、間に挟まれているフィルタ２２を取り出す。次いで、必要に応じてフィルタ２２を交換又は洗浄し、再びカバー２１とフィルタ固定部２３とによりフィルタ２２を挟んで固定する。最後に、前記溝１ａにフィルタ構造２を篏合して配置する。
【００２７】
ネイル用ダストコレクター１００によれば、ユーザーは、安全かつ迅速にネイルケア等に係る作業を行うことができる。すなわち、ネイルケア等の作業中に生じるダストや化学物質を含む空気をネイル用ダストコレクター１００が効率よく吸引するため、ユーザーが当該空気を吸引することにより誘発する疾患の罹患率が下がる。
【００２８】
また、ネイルケア等の作業後においては、フィルタ構造２により、ダスト等が付着したフィルタ２２の交換が容易に行えるため、ユーザーがフィルタ２２に付着したダスト等を撒き散らしてしまう（二次飛散）危険が減少することにより、上記同様、疾患の罹患率が下がる。また、フィルタ２２の交換が迅速に行えるため、例えば、ネイルサロンでの施術の場合には、ネイリストは顧客毎にフィルタ２２を交換することが可能であり、常に衛生的な施術環境を保つことができる。
【００２９】
また、本体１の内部に静音設計が施されていることにより、ネイリストと顧客との会話が妨げられない、より良い施術環境を作り出すことができる。
【００３０】
以上の説明においては、本願発明に係る一実施形態を述べたが、本願発明はこれに限られるものではない。例えば、ネイル用ダストコレクター１００は、作業机上に吸入口１１が上向きとなるように置くとしたが、吸入口１１が横を向くように置いて使用できるよう各構成を調整することも可能である（図示省略）。この構成とすることで作業スペースの調整・確保が可能となる。
【００３１】
また、フィルタ構造２は、カバー２１の一端を本体１に回動可能に固定し、フィルタ２２交換の際には、フィルタ２２のみ、又は、フィルタ２２とフィルタ固定部２３を取り外す構成としてもよい。この構成においても、フィルタ２２の容易且つ迅速な交換が可能となる。
【００３２】
また、フィルタ構造２は、フィルタ構造２が溝１ａにスライド式に篏合可能な構成としてもよい。
【００３３】
また、排気口１２又は排気口１３の本体１内部側に、フィルタ２２で採用可能なものを追加のフィルタとして適宜配置してもよい。この構成とすることで、ダスト等と空気を分離する機能がより向上する。
【符号の説明】
【００３４】
１      本体
２      フィルタ構造
３      スイッチ
４      吸引部
１００  ネイル用ダストコレクター
【図１】
2020092843.tif 000003
【図２】
2020092843.tif 000004
【図３】
2020092843.tif 000005
【図４】
2020092843.tif 000006
【図５】
2020092843.tif 000007
【図６】
2020092843.tif 000008
【図７】
2020092843.tif 000009
【図８】
2020092843.tif 000010
【図９】
2020092843.tif 000011
【図１０】
2020092843.tif 000012